【事件の表示】
　特願２００８−５３２９６３「改善された衣類のような特徴を有する吸収性物品」拒絶査定不服審判事件〔平成１９年　４月　５日国際公開、ＷＯ２００７／０３６９０７、平成２１年　３月１２日国内公表、特表２００９−５０９６１９〕について、次のとおり審決する。
【結　論】
　本件審判の請求は、成り立たない。
【理　由】
第１　手続の経緯・本件出願の発明
　本件出願は、２００６年９月２８日（パリ条約による優先権主張２００５年９月２９日、アメリカ合衆国）を国際出願日とする特許出願であって、平成２２年６月１日付けの拒絶理由通知に対して、同年１２月６日付けで意見書及び手続補正書が提出されたが、平成２３年５月９日付けで拒絶の査定がなされ、それに対して同年９月１３日付けで拒絶の査定を不服とする審判の請求がなされ、同時に手続補正書が提出された。その後、当審の平成２４年６月１１日に当審から拒絶の理由が通知され、それに対して、同年９月２５日に意見書及び手続補正書が提出された。
　本件出願の特許請求の範囲の請求項１ないし７に係る発明は、平成２４年９月２５日付けの手続補正書によって補正された特許請求の範囲、及び、願書に添付した明細書、図面の記載からみて、その請求項１ないし７に記載された事項により特定されるとおりのものであると認められるところ、請求項１に係る発明（以下「本願発明」という。）は、次のとおりである。
「【請求項１】
　シャーシに耳部が個別の構成要素として付着される複数片構成の使い捨て吸収性物品(multi piece diaper)において、
　ａ）前側腰部縁部を備える前側腰部区域(36)、後側腰部縁部を備える後側腰部区域(38)、前記前側腰部区域と後側腰部区域との間の股部区域、及び１対の対向する長手方向縁部(12)を有し、
　　　ｉ）　　液体透過性トップシート(24)と、
　　　ｉｉ）　バックシート(26)と、
　　　ｉｉｉ）前記トップシート(24)と前記バックシート(26)との間に配置される吸収性コア(28)とを含む、シャーシ(20)と、
　ｂ）上側面方向縁部(43c)、近位縁(43a)、末端縁(43b)を有し、少なくとも一部分が前記後側腰部区域(38)におけるシャーシ(22)の長手方向縁部(12)から側面方向に外に向かって伸長し、個別要素として形成され、シャーシ(22)の後側腰部区域と結合される後耳部(42)と、
　ｃ）締着装置(50)であって、
　　　ｉ）　前記耳部(42)の末端縁(43b)近傍に配置される嵌合部材(52)と、
　　　ｉｉ）前記シャーシ(20)の前記前側腰部区域(36)に配置される受入部材(54)と、を含む締着装置(50)と、
を有し、前記耳部(42)は、前記嵌合部材(52)が前記受入部材(54)と嵌合する時に、前側腰部区域(36)と後側腰部区域(38)を相互に接続し、
　前記前側腰部区域(36)と後側腰部区域(38)が計量試験方法及び計量測定手順に従って相互に接続したときに、前記耳部(42)は次のように前側縁部変位(A)と後側縁部変位(C)と耳部全体幅(B)と耳部中点幅(X)とを有し、
　　1.　前記前側縁部変位(A)及び前記後側縁部変位(C)の合計は１２ｍｍ以下であり、
　　2.　前記前側縁部変位(A)及び前記後側縁部変位(C)の合計は前記耳部全体幅(B)に対して比率が０．３０以下であり、
　　3.　前記前側縁部変位(A)及び前記後側縁部変位(C)の合計は前記耳部中点幅(X) に対して比率が０．３０以下であり、
　　前側縁部変位(A)と後側縁部変位(C)と耳部全体幅(B)と耳部中点幅(X)は計量試験方法及び計量測定手順によって定められる、複数片構成の使い捨て吸収性物品(20)。」
　
第２　引用例
　これに対して、当審の平成２４年６月１１日付けの拒絶の理由に引用された本件出願の優先権主張日前に頒布された刊行物である特表平１０−５０６０３０号公報（以下「刊行物１」という。）、特表平１１−５０２４２７号公報（以下、「刊行物２」という。）、特開２００３−１５３９５５号公報（以下、「刊行物４」という。）、国際公開第２００５／７７３１３号（以下、「刊行物６」という。）、特表２０００−５０４９７５号公報（以下、「刊行物７」という。）の記載内容は以下のとおりである。
１　刊行物１
（１）刊行物１記載の事項
　刊行物１には以下の事項が記載されている。
ア　第４ページ第３行〜第７行
「　　　　　　　　　　　　　　発明の分野
　本発明は、使い捨ておむつ、失禁用パンツ、下着吸収材インサート、婦人用生理用品のような吸収材製品に関し、さらに詳細には、着用者に適合するために吸収材製品の収容特性及び適合性を改良する障壁カフを提供するために曲がるサイドパネルを有する吸収材製品に関する。」
イ　第９ページ第８行〜第１０ページ第２２行
「第１図は、広がって収縮されない状態（すなわち、すべてが弾性誘導収縮プルアウト）での本発明のおむつ２０の平面図であり、おむつの構造をさらにはっきりと示すために構造の一部が破断され、着用者に接触するおむつ２０の部分が見る者に向いている。おむつ２０は、（第１図で見る者に面する）身体に面する面４０と、身体に面する表面に対向する下着に面する表面４１と、前方ウエスト領域２２と、後方ウエスト領域２４と、クロッチ領域２６と、長手方向の縁部が参照符号３０で、また端縁が参照符号３２で指定されるおむつ２０の外縁によって定義される周縁とを有する。ウエスト領域は着用したときに、着用者の腰を包囲するおむつ２０の部分を有する。このウエスト領域は、それらが着用者のウエスト領域の周りでギャザーを形成するように弾性エレメントを有する。クロッチ領域２６は、前方のウエスト領域２２と後方のウエスト領域２４との間に配置されたおむつ２０の部分であり、着用したときに着用者の足の間に配置され、着用者の下胴をカバーする。またおむつ２０は、参照符号３４で指定された横方向の中心線と、参照符号３６で指定された長手方向の中心線を有する。
　おむつ２０は、液体透過性トップシート３８と、（第２図及び第３図に示す）内面２３及び内面２３とは反対の外面２８を有する液体不透過性バックシート４２と、側縁５０及びウエスト縁部５２である側縁を有する吸収コア４４と、各々が近位縁６４、遠位縁６６、近位縁６４と遠位縁６６との中間の折曲線６５を有するサイドパネル６２と、第１の端部７２と、第２の端部７４と、第２のセグメント９２（及び可能である場合には、第４図に示す第３のセグメント）、身体に面する面４０から遠位縁６６を離す弾性部材７７のようなスペーサ手段７６と、おむつ２０のトップシート３８上に第１のセグメントの少なくとも一部を固定する第１の閉鎖手段７８と前方ウエスト領域２２の第１のセグメント９０に第２のセグメント９２の少なくとも一部を固定する第２の閉鎖手段７９とを有する。この構成において、折曲線６５は近位縁６４と遠位縁６６の双方の内側に配置されている。（ここに使用するように、用語の“内側”はおむつ２０の長手方向の中心線３６に向かう方向として定義される。用語“外側”は、おむつ２０の長手方向中心線３６から離れる方向として定義される。）
　バックシート４２が吸収コア４４の長さと幅の寸法より大きい寸法を有するおむつ２０の好ましい実施例において、バックシート４２は、吸収コア４４の縁部を越えて伸び、それによっておむつ２０の周縁及びサイドパネル６２を形成する。周囲は外周または、言い換えれば、おむつ２０の縁部を形成する。周囲は長手方向の縁部３０及び端縁３２を有する。第１図に示すように、トップシート３８は、おむつ２０の端縁３２並びに長手方向の縁部３０に沿ってバックシート４２に隣接している。各サイドパネル６２の遠位縁６６は、後方のウエスト領域２４におむつ２０の長手方向の縁部３０を画定している。遠位縁６６は、クロッチ領域２６または後方のウエスト領域２４のおむつ２０の下の部材には固定されない。
　第２図は、第１図の線２−２に沿って切った部分断面図であり、トップシート３８と、バックシート４２と、吸収コア４４と、スペーサ手段７６とを有する好ましい構造を示している。吸収コア４４は、トップシート３８とバックシート４２との間に配置され、トップシート３８及びバックシート４２は、吸収コア４４の側縁５０を越えて伸びており、サイドパネル６２を形成する。」
ウ　第２２ページ第１５行〜末行
「第５図は、後方のウエスト領域２４のサイドパネル６２の遠位縁から横方向外側に伸びているイヤフラップ５４を有する本発明の１つの他の実施例を示す。イヤフラップ５４は、前方ウエスト領域２２及び後方ウエスト領域２４に沿って着用者の腰を包囲する構造を提供する。各イヤフラップ５４は、近位縁５１及び遠位縁５３を有する。好ましい実施例において、少なくとも１つのイヤフラップ５４は、サイドパネル６２の各々に結合される。イヤフラップ５４の近位縁５１は、サイドパネル６２の遠位縁６６に結合されることが好ましい。イヤフラップ５４の近位縁５１は、バックシート４２の下着に面する面４１に、またはトップシート３８の身体に面する面４０に、またはトップシート３８とバックシート４２の間に結合される。イヤフラップは、この技術分野で公知の手段によってサイドパネル６２に接続され、例えば、イヤフラップ５４は、加熱または非加熱接着剤、加熱結合、圧力結合、超音波結合、動的機械的結合、またはこの技術分野で公知の他の方法を使用してサイドパネル６２に連続的にまたは間断的に結合される。」
エ　第２４ページ第４行〜第８行
「さらに、イヤフラップ５４はそれらの遠位縁５３に隣接して配置された固定部材５６を有することが好ましい。
固定装置５６は機械的な固定具、フック、及びループタイプの固定具、圧力完納接着剤及び接着材料のようなこの技術分野でよく知られている多数の固定部材を有するが、」
オ　第２４ページ第１７行〜第２６行
「イヤフラップ５４を有する本発明の実施例は、次のように着用者に適合することが好ましい。サイドパネル５４は、パッキングのために折られた形状（図示せず）から元のように折り戻され、後方のウエスト領域のサイドパネルの遠位縁がサイドパネルの近位縁の外側に配置され、それによってサイドパネルを傾けるように反対側に側方外側に引かれる。後方のウエスト領域２４は、着用者の背中の下に配置され、おむつの残りは着用者の足の間に引かれる。前方のウエスト領域２２は着用者の腰の前方にわたって配置される。イヤフラップ５４は、着用者のウエストの周りを包囲し、サイドパネルは、着用者の寸法及び形状に適合するように張力がかけられ、伸長される。イヤフラップ５４はイヤパネル５４の遠位縁５３に隣接するように配置された固定部材５６によって前方のウエスト領域２２に固定される。」
カ　ここで、摘記事項イの「おむつ２０は、・・・長手方向の縁部が参照符号３０で、また端縁が参照符号３２で指定されるおむつ２０の外縁によって定義される周縁とを有する。」の記載から、長手方向の縁部３０、端縁３２で囲まれる部分がおむつ２０の周縁であるから、この部分を「シャーシ」と呼ぶこととする。また、摘記事項ウの「第５図は、後方のウエスト領域２４のサイドパネル６２の遠位縁から横方向外側に伸びているイヤフラップ５４を有する本発明の１つの他の実施例を示す。イヤフラップ５４は、前方ウエスト領域２２及び後方ウエスト領域２４に沿って着用者の腰を包囲する構造を提供する。各イヤフラップ５４は、近位縁５１及び遠位縁５３を有する。好ましい実施例において、少なくとも１つのイヤフラップ５４は、サイドパネル６２の各々に結合される。」の記載から、図面の図５に示される実施例において、２対のイヤフラップ５４、５４は、おむつ２０に結合されているものと考えることができる。
　また、図面の図５を参照すると、クロッチ領域２６が前方ウエスト領域２２と後方ウエスト領域２４の間にあることが見て取れる。また、イヤフラップ５４、５４に注目すると、イヤフラップ５４、５４は、略長方形であって、そのうちの１対の対向する辺が近位縁５１、遠位縁５３であるから、残りの対向する辺のうち、図５の上側の端縁３２に近い辺側が上側面方向縁部となること、及び、イヤフラップ５４、５４は、シャーシの後方ウエスト領域２４に結合され、縁部３０から側面方向に外に向かって伸長していることは明らかである。
　さらに、摘記事項オの「イヤフラップ５４はイヤパネル５４の遠位縁５３に隣接するように配置された固定部材５６によって前方のウエスト領域２２に固定される。」の記載から、前方ウエスト領域２２には、固定部材５６と結合する被固定部材が設けられており、両者を結合すると、前方ウエスト領域２２と後方ウエスト領域２４とが相互に接続されることは明らかである。
（２）刊行物１記載の発明
　刊行物１記載の事項を、アないしオの摘記事項、及びカの認定事項をもとに、技術常識を考慮しながら、本願発明に照らして整理すると、刊行物１には以下の発明が記載されていると認める。
「シャーシにイヤフラップ５４、５４が結合される使い捨ておむつ２０において、
ａ）端縁３２を備える前方ウエスト領域２２、端縁３２を備える後方ウエスト領域２４、前記前方ウエスト領域２２と後方ウエスト領域２４との間のクロッチ領域２６、及び１対の対向する縁部３０を有し、
ｉ）液体透過性トップシート３８と、
ｉｉ）液体不透過性バックシート４２と、
ｉｉｉ）前記液体透過性トップシート３８と前記液体不透過性バックシート４２との間に配置される吸収コア４４とを含む、シャーシと、
ｂ）上側面方向縁部、近位縁５１、遠位縁５３を有し、後方ウエスト領域２４におけるシャーシの縁部３０から側面方向に外に向かって伸長し、シャーシの後方ウエスト領域２４と結合されるイヤフラップ５４、５４と、
ｃ）ｉ）前記イヤフラップ５４、５４の遠位縁５３、５３に隣接して配置される固定部材５６、５６と、
ｉｉ）前記シャーシの前記前方ウエスト領域２２に配置される被固定部材とを有し、前記イヤフラップ５４、５４は、前記固定部材５６、５６が前記被固定部材と結合する時に、前方ウエスト領域２２と後方ウエスト領域２４を相互に接続する、使い捨ておむつ２０。」（以下、「引用発明」という。）
２　刊行物２
（１）刊行物２記載の事項
　刊行物２には以下の事項が記載されている。
ア　第７ページ第３行〜第６行
「
発明の属する技術分野
　本発明は、おむつ、子供用ケア製品、女性用生理製品、失禁用下着などのような伸縮可能吸収性下着に関する。特に、本発明は、改良された横方向の伸び特性を備えたウェストバンド部を有する使い捨て吸収性下着に関する。」
イ　第１１ページ第７行〜第１２ページ第８行
「図１〜３を参照すると、使い捨ておむつ２０のような本発明の物品が、全ての弾性ギャザーを伸ばしきって、取り除いた、十分に延びきった状態で示されている。おむつ２０は、長手方向の両側の側縁１１０と、第１および第２端縁１０６および１０７を有する。端縁１０６および１０７は、側縁１１０の間で横方向に延びる。おむつ２０は、後方ウェストバンド部４０のような第１ウェストバンド部と、前方ウェストバンド部３８のような第２ウェストバンド部と、第１および第２ウェストバンド部を相互接続する中間部４２を備える。後方ウェストバンド部４０は、第１端縁１０６に近接して、そこから内方に延びる。同様に、前方ウェストバンド部３８は第２端縁１０７に近接して、そこから内方に延びる。ここで用いる用語「内方に」は、物品の長手方向および横方向の中心に関する、部材の相対的な位置を示す。着用者がこの物品を着けるとき、中間部分４２は、着用者の脚の間に配置される物品の部分にほぼ相当する。
　おむつ２０は、バックシート層２２、バックシート層上に配置された吸収体２６、第１ウェストバンド部４０の側縁１１０に結合されたファスナタブ４４、および第１ウェストバンド部において作動的にバックシート層に結合された一対の横方向に分かれた弾性サイド部８９を備える。少なくとも、第１および第２ウェストバンド部４０および３８の一部が、着用者のウェスト回りにフィットして互いに結合するウェストバンド部の部分を備える周状ウェストゾーンを形成するように共に機能する。特に、このおむつは、第１ウェストバンド部４０にある第１ファスナパネルと、第２ウェストバンド部３８にある第２ファスナパネルを形成する。第１および第２ファスナパネルは、矩形ボックス２００および２０２として図１に例示されている。おむつ２０を最初につけたときに素晴らしい着心地を得て、使用中の着用者の動きに適応するために、第１ファスナパネル２００が、特別な横方向の伸び特性を有することが望ましいことが発見されてきた。特に、おむつ２０の構成成分が、望ましく選択されて構成され、第１ファスナパネル２００が、一連の伸長力、収縮力および力の変化の割合の点からみて特徴づけられる空間的に不連続な横方向の弾性を供給する。第１ファスナパネル２００の横方向弾性特性は、以下に詳細に説明されている。
　本発明の様々な構成においては、おむつ２０が、バックシート層２２に面する関係で重ねられた液体透過性トップシート層２４と、それらの間に挟まれた吸収体２６を備えることができる。」
ウ　第２２ページ第２３行〜第２３ページ第２行
「再取付可能な接着剤テープシステムを供給するために、おむつ２０は、テープファスナ４４の接着材取付を受けるターゲットゾーンを与える副ランドゾーンパッチ４６を備えることができる。この本発明の例示された具体例においては、ランドゾーンパッチ４６が、バックシート２２の外側の面に位置し、おむつの第２前方ウェストバンド部３８上に配置される。ランドゾーンパッチ４６は、ポリプロピレン、二軸延伸ポリプロピレン、ポリエステル等の適切な材料で生成され、例えばテープファスナであるファスナタブ４４の固定接着を受け入れるように構成され配置される。」
エ　第２３ページ第１０行〜第２４ページ第２４行
「本発明の様々な具体例においては、テープファスナ４４が、ウェストバンド３８および４０のいずれか又は両方の横方向端領域１１６および１１８のいずれか又は両方に位置づけられる。示された具体例は、後方ウェストバンド４０の境界側縁に位置付けられたテープファスナを有する。このテープファスナ４４は、図１および５に示されるように、バックシート層２２に直接的に、または間接的に結合される。
　前述したように、おむつ２０が、バックシート２２層に作動的に結合される一対の横方向に離れた弾性サイド部８９を与えられる。このサイド部８９は、おむつ２０の第１ファスナパネル２００に、横方向の弾性を与え、特にテープファスナ４４に空間的に非常に近くで横方向の弾性を与える。この例示された具体例においては、サイド部８９の各々が、別のサイドパネル部材９０で形成される。
　図１および５を続いて参照すると、単にサイドパネル９０と呼ばれる各サイドパネル部材９０が、この例示された具体例においては、後方ウェストバンド部４０のようなバックシート２２の少なくとも１つのウェストバンド部の横方向の両端部から延び、物品の境界サイド部を供給する。さらに、各サイドパネルは、横方向に延びる境界ウェストバンド縁１０６から、おむつの対応する脚開口部のほとんどその位置まで広がる。例えば、おむつ２０は、長手方向に延びる側縁領域１１０の示された対の指定された中間部分により形成される横方向両側の脚開口部の対を有する。さらに、このサイドパネル部材９０は、ファスナタブ４４の間に全体として位置するように、おむつ２０の長さ方向８６に沿って配置されるのが望ましい。
　本発明の様々な構成においては、サイドパネル９０が、選択されたおむつの部材で統合的に形成されてもよい。例えば、サイドパネル９０は、バックシート層２２を供給する材料層から統合的に形成されることができ、またトップシート２４を供給するために用いられる材料から統合的に形成されてもよい（図１７）。別の構成においては、サイドパネル９０が、バックシート２２、またはトップシート２４に結合される別の部材であったり、バックシートとトップシートの間の別の部材であったり、またそれらの組合せたものであってもよい。このサイドパネル部材９０は、２つの別個の部材であるのが望ましく、第１端縁１０６の近くのおむつの横方向の幅の少なくとも約50％の横方向の距離だけ空間的に離され、特におむつの横方向の幅の少なくとも約82％の横方向の距離だけ離され、さらに、所望の性能を得るためには、おむつの横方向の幅の少なくとも約87％の距離だけ離されるのが望ましい。
　本発明の特別な態様においては、サイドパネル９０のそれぞれが、おむつ物品の選択された前方及び／又は後方ウェストバンド部に適切に組み立てられ取りつけられる材料の別の部分から形成されてもよい。本発明の例示された具体例においては、例えば、サイドパネル９０が、バックシート２２の後方ウェストバンド部４０に取り付けられ、物品のバックシートおよびトップシート部材の一方または両方に作動的に取り付けられることができる。このサイドパネルは、おむつの一対の両側ウェストフラップ部を形成するように横方向に延び、接着結合、熱結合、超音波結合、クリップ、ステープル、縫製や、これらを組合せたものなどの適切な結合手段で取り付けられる。」
オ　第３０ページ第２７行〜第３１ページ第９行
「本発明の特別な構成においては、応力ビーム部９８が、サイドパネル９０の実質的な長さ方向に沿って延び、物品の横方向に延びるウェストバンド縁１０６に実質的に隣接する。例示された具体例においては、ファスナタブ４４が、応力ビーム部９８の長さ方向に沿ってほぼ中心に位置される。代わりに、ファスナタブ４４の位置は、応力ビーム部９８の長さ方向の中心から選択された距離だけ、おむつの長手方向にオフセットされてもよい。本発明の特別な態様においては、ファスナタブ４４が、およそ６cm以下の間隔１２０だけウェストバンド縁１０６から離される。この間隔は、およそ４cm以下であってもよく、改良された性能を得るためには、およそ２cm以下となる場合もある。本発明の別の態様においては、ファスナタブ４４の縁が、改良された性能を与えるために、ウェストバンド縁１０６に実質的に一致するように配置されてもよい。」
カ　第３２ページ第１７行〜第２１行
「例示された具体例においては、ファスナテープタブ４４のようなファスナタブが、サイドパネル９０のそれぞれに作動的に結合される。ファスナタブ４４がパネル９０の境界の側縁を交差する接合部が、比較的幅の狭いパネル接合領域８０を供給する。この接合は、接着剤結合、熱結合、超音波結合、クリップ、ステープル、縫製のような適切な取付手段によって達成されることができる。」
（２）刊行物２記載の事項
　刊行物２記載の事項について、図面の図１及び上記アないしカの摘記事項を参照し、技術常識を考慮しながら、本願発明に照らして整理すると、刊行物２には以下の事項が記載されていると認める。
「サイドパネル９０のそれぞれが、おむつ物品の後方ウェストバンド部４０に取りつけられた使い捨ておむつ２０において、
　第２端縁１０７に近接する前方ウェストバンド部３８、第１端縁１０６に近接する後方ウェストバンド部４０、前方ウェストバンド部３８と後方ウェストバンド部４０との間の中間部４２を有し、
　ｉ）液体透過性トップシート層２４と、ｉｉ）バックシート層２２と、ｉｉｉ）前記トップシート層２４とバックシート層２２との間に挟まれた吸収体２６を備え、
　サイドパネル９０が、バックシート層２２の後方ウェストバンド部４０に取り付けられ、ファスナタブ４４がサイドパネル９０に作動的に結合されたものにおいて、
　ファスナタブ４４の縁が、改良された性能を与えるために、ウェストバンド縁である第１端縁１０６に実質的に一致するように配置されている、使い捨ておむつ２０。」（以下、「刊行物２記載事項」という。）
３　刊行物４
（１）刊行物４記載の事項
　刊行物４には以下の事項が記載されている。
ア　段落【０００１】
「【発明の属する技術分野】本発明は、排泄物を吸収、保持する開放型の使い捨ておむつに関する。」
イ　段落【００１２】〜【００１５】
「図１，２は、一方のテープファスナ１４の自由端部１４ｂをフラップ１２の外側へ折り返した状態で示すおむつ１の部分破断斜視図と、図１のＡ−Ａ線端面図とであり、図３は、着用状態で示すおむつ１の斜視図である。図１では、横方向を矢印Ｘで示し、縦方向を矢印Ｙで示す。図３では、着用者２２を二点鎖線で示す。なお、表裏面シート２，３や防漏シート５の内面とは、コア４に対向する面をいい、それらシート２，３，５の外面とは、コア４に非対向の面をいう。
　おむつ１は、肌当接側に位置する透液性の表面シート２と、肌非当接側に位置する実質的に不透液性の裏面シート３と、表裏シート２，３の間に介在してそれらシート２，３のうちの少なくとも一方の内面に固着された吸液性コア４とを主要な構成部材とする。おむつ１は、それら部材の他に、肌当接側に位置する実質的に不透液性の防漏シート５を有する。
　おむつ１は、縦方向に前胴周り域６および後胴周り域８と、それら胴周り域６，８の間に位置する股下域７とを備え、横方向へ延びる両端部９と、縦方向へ延びる両側部１０とを有する。前後胴周り域６，８の両側部１０には、横方向外方へ延びるフラップ１１，１２が取り付けられている。
　フラップ１１，１２は、横方向に内端部１１ａ，１２ａおよび外端部１１ｃ，１２ｃと、それら端部１１ａ，１２ａ，１１ｃ，１２ｃの間に位置する中央部１１ｂ，１２ｂとを有する。フラップ１１，１２では、その内端部１１ａ，１２ａが前後胴周り域６，８の両側部１０に固着されている。前胴周り域６のフラップ１１は、実質的に非伸縮性の繊維不織布から形成されている。後胴周り域８のフラップ１２は、横方向と縦方向とヘ弾性的な伸縮性を有する繊維不織布から形成さている。」
ウ　段落【００１７】
「テープファスナ１４は、フラップ１２の外端部１２ｃに固着された固定端部１４ａと、固定端部１４ａから横方向外方へ延びる自由端部１４ｂとを有する。自由端部１４ｂには、メカニカルファスナのうちのフック部材１５が取り付けられている。テープファスナ１４では、自由端部１４ｂがおむつ１の内側に向かって折曲され、自由端部１４ｂがフック部材１５を介してフラップ１２に仮着されている。前胴周り域６における裏面シート３の外面には、テープファスナ１４を着脱可能に止着する横方向へ長い矩形のターゲットテープ１６（被止着部）が取り付けられている。ターゲットテープ１６は、メカニカルファスナのうちのループ部材から形成されている。」
エ　ここで、図面の図１を参照すると、フラップ１１は、その長手方向端縁が、おむつ１の前胴周り域６の長手方向端縁とほぼ一直線になるように、また、フラップ１２は、その長手方向端縁が、おむつ１の後胴周り域８の長手方向端縁とほぼ一直線になるように、それぞれ取り付けられているのが見て取れる。図３を参照すると、着用状態において、フラップ１１、１２の上端縁と、前胴周り域６、後胴周り域８の上端縁の位置が同じ高さであることが見て取れる。
（２）刊行物４記載の事項
　刊行物４記載の事項について、図面の図１ないし３及び上記アないしウの摘記事項、及びエの認定事項を参照し、技術常識を考慮しながら、本願発明に照らして整理すると、刊行物４には以下の事項が記載されていると認める。
「フラップ１１、１２が前胴周り域６、後胴周り域８の両側部１０に固着された使い捨ておむつ１において、
　前胴周り域６、後胴周り域８、前胴周り域６と後胴周り域８との間に位置する股下域７を有し、
　ｉ）表面シート２と、ｉｉ）裏面シート３と、ｉｉｉ）表面シート２と裏面シート３との間に介在した吸液性コア４とを含み、
　前胴周り域６、後胴周り域８の両側部１０に固着されるフラップ１１、１２と、
　後胴周り域８の両側部１０に固着されたフラップ１２の外端部１２ｃに固着されたテープファスナ１４を有し、
　前胴周り域６と後胴周り域８とをフラップ１１、１２、及びテープファスナ１４で接続した時に、前胴周り域６、後胴周り域８、フラップ１１、１２に上端縁の高さがほぼ同じになるように形成されている、使い捨ておむつ１。」（以下、「刊行物４記載事項」という。）
４　刊行物６
（１）刊行物６記載の事項
　刊行物６には以下の事項が記載されている。なお、括弧内は、翻訳文を示す。
ア　第１ページ第３行〜第６行
「The present invention relates to disposable absorbent articles and in particular disposable pant-like garments. More particularly, the present invention relates to a pre-fastened disposable pant like garment having improved fastener systems which provide adjustable, versatile, and refastenable, disposable products.」
（本発明は使い捨て吸収性物品に関し、特に使い捨てパンツ様衣類に関する。より詳細には、本発明は、調整可能で、汎用性があり、再締結可能な使い捨て製品を提供する、改良型締結装置を有する事前締結型の使い捨てパンツ様衣類に関する。）
イ　第８ページ第１０行〜第９ページ第８行
「 Fig. 1 shows an example of a basic pant like garment of the present invention. The garment 20 shown in Fig. 1 generally comprises a main absorbent portion 30 and a pair of side areas 40 and 50. The main absorbent portion 30 taken in combination with the side portions 40 and 50 generally define a waist opening 80 and a pair of leg openings 90 and 100. Each of the side areas 40 and 50 may be stretchable, including elastically stretchable. Additionally, each of the side areas 40 and 50 may be provided with a refastenability feature allowing the side areas 40 and 50 to be opened and re-closed along either or both of side attachment areas 60 and 70. As shown in Fig. 1 when the side areas 40 and 50 are each closed along respective side attachment areas 60 and 70, the waist opening 80 is complete and the garment 20 is said to be in a closed or pant-like configuration.
　Fig. 2 shows the garment of Fig. 1 in which the right side attachment area has been opened. When one or both of the side areas 50 and 60 is so opened, the garment 20 is said to be an open configuration. The respective side portions 50 and 60 of the garment 20 may be either separately attached to the main absorbent portion 30 or may be made integrally with the main absorbent portion 30. 
　Fig. 3 shows the garment of Fig. 1 and Fig. 2 laid flat in its open uncontracted state. Garment 20 is generally composed of a main absorbent portion 30 and side areas. As shown in Fig. 3, when the garment 20 is open and unfolded, the side areas are separated into front side portions 42 and 45, and rear side portions 52 and 55. 
　The main absorbent portion 30 generally includes a pair of longitudinal edges, left edge 160, and right edge 150. The main absorbent portion also includes a pair of transverse ends, front waist region 144, and rear waist region 146. These waist regions may be provided with elastic gathering features, padding features, containment features, or any other features typically provided in the waist regions of disposable absorbent articles of this type, a wide variety of which are known in the art. An example of such a feature is shown in Fig. 3 as waist feature 140. The area of the main absorbent portion 30 between the described waist regions is typically referred to as the crotch region 170. The crotch region 170 is that portion of the garment 20 which, when the garment 20 is worn, is generally positioned between the legs of the wearer. As with the waist regions, the crotch region 170 may be provided with any of the features typically provided on disposable absorbent garments of this type. Examples of such features typically employed in the art are leg elastic, barrier containment structures, graphics, notches for fit or appearance, etc. 
　The main absorbent portion 30 of the garment 20 typically comprises at least a liquid pervious topsheet 130, a liquid impervious backsheet 120, and at least a portion of an absorbent core 110 encased between the topsheet 130 and the backsheet 120.」
（図１は、本発明の基本的なパンツ様衣類の一例を示す。図１に示す衣類２０は、一般に、主要吸収性部分３０と一対の側部領域４０及び５０とを備える。側部４０及び５０と組み合わせた主要吸収性部分３０は、一般に、腰部開口部８０と一対の脚部開口部９０及び１００とを画定する。側部領域４０及び５０の各々は、弾性的な伸縮性を含む伸縮性であってもよい。更に、側部領域４０及び５０の各々は、再締結可能な機構を備えてもよく、この再締結可能な機構により、側部領域４０及び５０を、側部付着領域６０及び７０のいずれか、又は両方に沿って開ける及び再び閉じることができる。図１に示すように、側部領域４０及び５０はそれぞれ、各々の側部付着領域６０及び７０に沿って閉じられ、腰部開口部８０が完成し、衣類２０は閉じた形状又はパンツ様形状をなしていると言える。
　図２は、右側の付着領域が開けられた、図１の衣類を示す。側部領域５０及び６０の片方又は両方がそのように開けられているとき、衣類２０は開いた形状であると言える。衣類２０の各々の側部５０及び６０は、主要吸収性部分３０に別個に付着されてもよく、又は主要吸収性部分３０と一体的に作製されてもよい。
　図３は、開いた非収縮状態で平らに置かれている図１及び図２の衣類を示す。衣類２０は、一般に、主要吸収性部分３０と側部領域とからなる。図３に示すように、衣類２０が開けられ、展開されているとき、側部領域は前方側部４２及び４５と、後方側部５２及び５５とに分離される。
　主要吸収性部分３０は、一般に、一対の長手方向縁部、即ち、左縁部１６０及び右縁部１５０を含む。主要吸収性部分はまた、一対の横方向末端部、即ち、前方腰部区域１４４及び後方腰部区域１４６を含む。これらの腰部区域は、弾性ギャザリング機構、パディング機構、収容機構、又はこのタイプの使い捨て吸収性物品の腰部区域に典型的に設けられるその他の機構を備えてもよく、多種多様な機構が当該技術分野において周知である。このような機構の例は、図３に腰部機構１４０として示されている。前述の腰部区域間の主要吸収性部分３０の領域は、典型的には股領域１７０と称される。股領域１７０は、衣類２０を着用したときに、着用者の脚の間にほぼ位置する衣類２０の部分である。腰部区域と同様に、股領域１７０は、このタイプの使い捨て吸収性物品に典型的に設けられる機構のいずれかを備えてもよい。当該技術分野において典型的に使用されるこのような機構の例は、レッグ弾性体、バリア収容構造体、グラフィック、フィット又は外観用切欠きなどである。
　衣類２０の主要吸収性部分３０は、典型的には、少なくとも液体透過性トップシート１３０と、液体不透過性バックシート１２０と、トップシート１３０及びバックシート１２０の間に入れられた吸収性コア１１０の少なくとも一部分とを備える。）
ウ　第１２ページ第１２行〜第３２行
「As shown in Figs. 1-3, in addition to the main absorbent portion 30, the garment 20 generally comprises a pair of side areas such as left side area 40 and right side area 50. As previously noted the side areas may be integral with the main absorbent portion 30 (that is they may be continuous extensions of one or more of the layers of the main absorbent portion 30) or they may be separately attached to the main absorbent portion 30. Alternatively, the side areas may be made of multiple components or layers some of which are discrete (either attached separately to the main absorbent portion or separated therefrom by a gap) and some of which are continuous. An example of this type of construction is a garment provided with an outer nonwoven cover which completely covers all areas of the garment 20 including the side areas 40 and 50 and the main absorbent portion 30. 
　The side areas 40 and 50 together with the main absorbent portion form a pant like garment 20 having a waist opening 80 and a pair of leg openings 90 and 100, when said pant like garment is in a closed configuration. As shown in Figs. 1-3 the front side portions are disposed generally transversely outward from said longitudinal edges 150 and 160 of said main absorbent portion 30 at or near the front waist region 144. Similarly the rear side portions 45 and 55 are disposed generally transversely outward from said longitudinal edges 150 and 160 of said main absorbent portion 30 at or near the rear waist region 146. In this manner the respective waist regions together with the side portions (both front and rear) form a complete waist opening when the front and rear waist portions are joined such as at attachment areas 60 and 70. Similarly, the main absorbent portion 30 and the side portions in combination also form leg openings 90 and 100 in a similar manner.」
（図１〜３に示されるように、主要吸収性部分３０に加えて、衣類２０は、一般に、左側部領域４０及び右側部領域５０などの一対の側部領域を含む。前述のように、側部領域は、主要吸収性部分３０と一体化されてもよく（即ち、主要吸収性部分３０の１以上の層の連続的な延長部であってもよく）、又は主要吸収性部分３０に別個に付着されてもよい。あるいは、側部領域は、複数の構成要素又は層から作製されてもよく、これら構成要素又は層は別個である（主要吸収性部分に別個に付着されているか、又は空隙によりそこから分離している）ものもあれば、連続しているものもある。このタイプの構造例は、側部領域４０及び５０と、主要吸収性部分３０とを含む衣類２０の全領域を完全に被覆する外側不織布カバーを備えた衣類である。
　側部領域４０及び５０は、主要吸収性部分と共にパンツ様衣類２０を形成し、このパンツ様衣類２０は、閉じた形状にあるとき、腰部開口部８０と、一対の脚部開口部９０及び１００とを有する。図１〜図３に示すように、前方側部は、前方腰部区域１４４に、又はその近くで、前記主要吸収性部分３０の前記長手方向縁部１５０及び１６０からほぼ横方向外側に配置される。同様に、後方側部４５及び５５は、後方腰部区域１４６に、又はその近くで、前記主要吸収性部分３０の前記長手方向縁部１５０及び１６０からほぼ横方向外側に配置される。このように、前方及び後方腰部が例えば付着領域６０及び７０で接合されると、各々の腰部区域は側部（前方及び後方の両方）と共に完全な腰部開口部を形成する。同様に、主要吸収性部分３０及び側部も組み合わせて、同様の方法で脚部開口部９０及び１００を形成する。）
エ　第１３ページ第１３行〜第２９行
「As shown in Figs. 1 and 2, the side areas may be provided with attachment areas for attaching the front side areas to the rear side areas. Examples of such attachment areas are left side attachment are 60 and right side attachment area 70 shown in Fig. 1. As shown in Figs. 1-3, these attachment areas may be located approximately midway between the front and back portions of the respective side areas. However, this is not necessary and any location along the side area is acceptable to locate an attachment area. 
　In one embodiment of the present invention attachment areas seams such as left and right attachment areas 60 and 70 are created through the attachment of front and back portions of the side areas with a refastenable reclosure device. Other refastenable attachment areas other than in the side seam (in addition to or instead of such a side seam) are also possible. For example, such an area could be at the boundary between one or both of the side panels and the main absorbent portion. In one embodiment, such a refastenable device may be through use of cohesive materials. For example, Fig. 3 shows front and rear left side areas 42 and 45 provided with cohesive areas 43 and 44 over at least a portion of their respective surface areas. Similarly right side areas 52 and 55 are provided with cohesive areas 53 and 54. For ease of description, more details of the construction in Fig. 3 will be given with respect to the left side area. However, the same description may be applicable to side areas located on each side of the product.」
（図１及び図２に示すように、側部領域は、前方側部領域を後方側部領域に付着させるための付着領域を備えてもよい。このような付着領域の例は、図１に示す左側付着領域６０及び右側付着領域７０である。図１〜図３に示すように、これらの付着領域は、各々の側部領域前方部と後方部の間のほぼ中ほどに位置してもよい。しかしながら、これは必要ではなく、側部領域に沿ったいかなる位置も付着領域を位置付けるのに許容できる。
　本発明の１実施形態において、左側及び右側付着領域６０及び７０などの付着領域の継ぎ目は、側部領域の前方部及び後方部を再締結可能な再閉鎖装置で付着させることにより形成される。サイドシームにある以外の（このようなサイドシームに加えて、又はその代わりの）他の再締結可能な付着領域も可能である。例えば、このような領域は、サイドパネルの片方又は両方と、主要吸収性部分との間の境界にあり得る。１実施形態において、このような再締結可能な装置は、粘着材料の使用によるものであってもよい。例えば、図３は、それらの各々の表面領域の少なくとも一部分に粘着領域４３及び４４を備えた前方及び後方の左側部領域４２及び４５を示している。同様に、右側部領域５２及び５５は、粘着領域５３及び５４を備える。説明を簡略化するために、図３に示す構造の更なる詳細は、左側部領域に関して説明する。しかしながら、製品の各側に位置する側部領域に同じ説明が適用できる。）
オ　第１４ページ第８行〜第１４行
「In the embodiment shown in Fig. 3 the refastening capability of the side area consists of the cohesive areas 43 and 44. In this embodiment, no other refastening capability is needed or provided to the side areas. The cohesive material provided in the cohesive areas may be located on one or both facing surfaces (i.e. the body facing surface and the garment facing surface) of the respective side areas. If the cohesive material is located on only one of the facing surfaces, the material may be disposed on opposite facing surfaces on each of the front and rear side areas. In this manner, the resulting side areas when closed, can have an overlapping configuration.」
（図３に示す実施形態において、前方側部４２上に配置された第１粘着領域４３は、長手方向においては前方側部と同一延長上にあるが、横方向においては同一延長上にない。同様に、後方側部４５上に位置する第２粘着領域４４も、長手方向においては後方側部と同一延長上にあるが、横方向においては同一延長上にない。図４は、本発明の衣類２０の前方側部及び対応する後方側部の変形を示しており、第１及び第２粘着領域４３及び４４の各々は、それぞれ前方側部及び対応する後方側部と同一延長上にある。この場合は、付着領域６０は、側部領域の一部分のみであり、前方側部４２及び後方側部４５が重なり合って互いに付着されている部分を示す。）
カ　図面のＦｉｇ．３を参照すると、衣類２０の主要吸収性部分３０の長手方向一方端の両側に側部４２、５２が形成され、他方端の両側に側部４５、５５が形成されているのが見て取れる。したがって、主要吸収性部分３０の長手方向一方端の両側に設けられているのが、前方側部４２、５２であり、長手方向他方端の両側に設けられているのが後方側部４５、５５であることが理解できる。
　また、Ｆｉｇ．１を参照すると、衣類２０を閉じた状態が示されており、この状態において、衣類２０の上端部の腰部開口部８０の上端部の位置は、ほぼ同じ高さに形成されているのが見て取れる。
（２）刊行物６記載の事項
　刊行物６記載の事項について、図面のＦｉｇ．１ないし３及び上記アないしオの摘記事項、及びカの認定事項を参照し、技術常識を考慮しながら、本願発明に照らして整理すると、刊行物６には以下の事項が記載されていると認める。
「主要吸収性部分３０の側部領域４０、５０に前方側部４２、５２、後方側部４５、５５が設けられた使い捨てパンツ用衣類２０において、
　前方側部４２、５２、後方側部４５、５５に粘着領域４３、５３、４４、５４が設けられ、
　衣類２０を閉じた状態において、衣類２０の上端部の腰部開口部８０の上端部の位置が、ほぼ同じ高さに形成されている、使い捨てパンツ用衣類２０。」（以下、「刊行物６記載事項」という。）
５　刊行物７
（１）刊行物７記載の事項
　刊行物７には以下の事項が記載されている。
ア　第４ページ第５行〜第１０行
「本発明は、使い捨てプル・オン着衣に関する。その様な使い捨てプル・オン着衣の例には、使い捨て下着、プル・オンおむつ、トレーニングパンツ、および月経時の使用のための使い捨てパンティが含まれる。本発明は特にプル・オンおむつ、トレーニングパンツ、失禁用プル・オンブリーフなどのような一体的使い捨て吸収性プル・オン着衣に関し、それらは汚れた後の向上した引き剥がし開放取り扱い性を提供する。」
イ　第１９ページ第１１行〜第１２ページ第１８行
「図１は、本発明のもう１つの側面による使い捨てプル・オンおむつ２０の斜視図である。図１を参照すると、プル・オンおむつ２０は、前方領域２６、後方領域２８および前方領域２６と後方領域２８との間のクロッチ領域３０を有するシャーシ４１を含む。シャーシ４１は、液体透過性トップシート８０、トップシート８０と結合する液本不透過性バックシート２２、およびトップシート８０とバックシート２２との間に配置される吸収性コア８４（図１において示されていない）を含む。プル・オンおむつ２０は更に、前方領域２６におけるシャーシ４１の対応する側面からそれぞれ横に外側に伸びるフロントサイドパネル４６、および後方領域２８におけるシャーシ４１の対応する側面からそれぞれ横に外側に伸びるバックサイドパネル４８を含む。プル・オンおむつ２０は更に、フロントおよびバックサイドパネル４６および４８のそれぞれからそれぞれ横に外側に伸びるシームパネル６６を含み、そのシームパネル６６からそれぞれ横に外側に伸びる引き剥がし開放タブ３１を含む。・・・
　本発明のフロントおよびバックサイドパネル４６および４８は、シャーシ４１の対応するサイドエッジから横に外側に伸びるいずれの部材であっても良い。好ましい態様において、フロントおよびバックサイドパネル４６および４８のそれぞれは、シャーシ４１から横に外側に突出する突き出した部材である（図２および３においてより明確に示される）。好ましくは、フロントサイドパネル４６およびバックサイドパネル４８は、プル・オンおむつの一体的要素である（すなわち、それらはプル・オンおむつに固定された分離して取り扱われる要素ではなく、むしろ、プル・オンおむつの１以上のさまざまの層の延長から形成され、延長そのものである）。より好ましくは、シームパネル６６のそれぞれは、対応するフロントおよびバックサイドパネル４６および４８の延長であり、または構成部分の少なくとも１つはそこで用いられる要素であり、または要素のいずれか他の組み合わせである。好ましくは、引き剥がし開放タブ３１のそれぞれは、対応するシームパネル６６の延長であり、またはその構成部分の少なくとも１つはそこで用いられる要素であり、または要素のいずれか他の組み合わせである。好ましい態様において、フロントおよびバックサイドパネル４６および４８は、シャーシ４１から連続的に伸びる連続部材である。より好ましくは、フロントおよびバックサイドパネル４６および４８の少なくとも一方、好ましくは両方は、シャーシ４１の一部であり、シャーシ４１から連続的に伸びる連続的なシートまたはフィルム材料４２を含む。別の態様において、フロントおよびバックサイドパネル４６および４８は、シャーシ４１のサイドエッジに取り付けられる分離した部材（図においては示されない）である。」
ウ　第２２ページ第１行〜第２２ページ第９行
「 図２は、さまざまのパネルおよび互いに関してのその配置を描写するその平坦に伸ばされた、収縮されていない状態において、図１のプル・オンおむつ２０の単純化された平面図を示す。プル・オンおむつ２０は、メインパネル５６および１対の脚部フラップパネル５８を含むクロッチ領域３０、ウエストバンドパネル６０および中間パネル６２を含むセントラルパネル、フロントサイドパネル４６、およびシームパネル６６を含む前方領域２６、並びにウエストバンドパネル６０’および中間パネル６２’を含むセントラルパネル、バックサイドパネル４８、シームパネル６６’および引き剥がし開放タブ３１を含む後方領域２８を有する。吸収性コア８４は典型的には、ベルトの中間パネル６２および６２’に伸びるけれども、吸収性コア８４（図２においては示されていない）は一般的にはメインパネル５６の中に位置する。と言うのは、滲出物は典型的にはこの領域に排出されるからである。
　図２において示される態様において、脚部フラップパネル５８は、メインパネル５６のそれぞれのサイドエッジ６８から、およびそれに沿って一般的に横に外側に伸びる。それぞれの脚部フラップパネル５８は一般的に、弾性的脚部形態５２の少なくとも一部を形成する（図３において示される）。連続ベルト３８（前方領域２６および後方領域２８）は、クロッチ領域３０（メインパネル５６および脚部フラップパネル５８）のそれぞれの横端部６９からおよびそれに沿って一般的に縦に外側に伸びる。前方領域２６において、中間パネル６２は、クロッチ領域３０の横端部６９からおよびそれに沿って一般的に縦に外側に伸びる。ウエストバンドパネル６０は、中間パネル６２からおよびそれに沿って一般的に縦に外側に伸びる。サイドパネル４６はそれぞれ、セントラルパネル（パネル６０および６２）からおよびそれに沿って一般的に横に外側に伸びる。シームパネル６６はそれぞれ、それぞれのサイドパネル４６からおよびそれらに沿って一般的に横に外側に伸びる。後方領域２８において、中間パネル６２’は、クロッチ領域３０の他方の横端部６９からおよびそれに沿って一般的に縦に外側に伸びる。ウエストハンドパネル６０’は、中間パネル６２’からおよびそれに沿って一般的に縦に外側に伸びる。サイドパネル４８はそれぞれ、セントラルパネル（パネル６０’および６２’）からおよびそれに沿って一般的に横に外側に伸びる。シームパネル６６’はそれぞれ、それぞれのサイドパネル４８からおよびそれに沿って一般的に横に外側に伸びる。引き剥がし開放タブ３１はそれぞれ、それぞれのシームパネル６６’からおよびそれに沿って一般的に横に外側に伸びる。使い捨て手段３３がそれぞれの引き剥がし開放タブ３１について与えられる。前方領域２６、加えてそのパネルもまた、エンドエッジ７０、レッグエッジ７１、およびサイドエッジ７２を有する。後方領域２８、加えてそのパネルもまた、エンドエッジ７０’、レッグエッジ７１’、およびサイドエッジ７２’を有する。クロッチ領域３０はレッグエッジ７４を有する。」
エ　図面の図１を参照すると、使い捨てプル・オンおむつ２０を閉じた状態が示されており、この状態において、おむつ２０の上端部の腰部開口部の上端部の位置は、ほぼ同じ高さに形成されているのが見て取れる。
（２）刊行物７記載の事項
　刊行物７記載の事項について、図面の図１、図２及び上記アないしウの摘記事項、及びエの認定事項を参照し、技術常識を考慮しながら、本願発明に照らして整理すると、刊行物７には以下の事項が記載されていると認める。
「シャーシ４１の前方領域２６の両側部にフロントサイドパネル４６、後方領域２８の両側部にバックサイドパネル４８が設けられた使い捨てプル・オンおむつ２０において、
　バックサイドパネル４８に使い捨て手段３３が与えられた引き剥がし開放タブ３１が設けられ、
　使い捨てプル・オンおむつ２０を閉じた状態において、おむつ２０の上端部の腰部開口部の上端部の位置が、ほぼ同じ高さに形成されている、使い捨て使い捨てプル・オンおむつ２０。」（以下、「刊行物７記載事項」という。）
　
第３　対比
　本願発明と引用発明とを対比すると以下のとおりである。
　引用発明の「イヤフラップ５４、５４」、「（前方ウエスト領域２２の）端縁３２」、「前方ウエスト領域２２」、「（後方ウエスト領域２４の）端縁３２」、「後方ウエスト領域２４」、「クロッチ領域２６」、「縁部３０」、「液体透過性トップシート３８」、「液体不透過性バックシート４２」、「吸収コア４４」は、それぞれ、本願発明の「後耳部」、「前側腰部縁部」、「前側腰部区域」、「後側腰部縁部」、「後側腰部区域」、「股部区域」、「長手方向縁部」、「液体透過性トップシート」、「バックシート」、「吸収性コア」に相当する。
　引用発明の「近位縁５１」、「遠位縁５３」は、それぞれ、本願発明の「近位縁」、「末端縁」に相当する。
　引用発明の「おむつ２０の後方ウエスト領域２４と結合されるイヤフラップ５４、５４」は、おむつ２０に結合されるのであるから、個別要素として形成され、付着されているものであることは明らかである。
　この点に関して、審判請求人は、平成２４年９月２５日付けの意見書において、「引用文献１（当審注：刊行物１である特表平１０−５０６０３０号公報）の図６が示すものは、いわゆる一体成形品の吸収性物品であります。
　一体成形品の吸収性物品は、ウエブを接続して一体成形した後に、裁断するなど製造工程が複数片構成の使い捨て吸収性物品と全く異なります。
　一体成形品の吸収性物品の場合、製造の歩留まりのために、耳部の上縁をウエスト上縁部より下げる必要性がなく、耳部の上縁をウエスト上縁部に揃えることは一般的に行われています。このような構造の一体成形品の吸収性物品ではトップハンティングの問題が生じ難い。
　しかし、一体成形品の吸収性物品は、ウエブを一体成形した後に裁断するなど、材料が無駄になり、且つ、製造工程が複雑であるため、製造コストが高くなることが避けられません。
　複数片構成の使い捨て吸収性物品は、それ自体一体成形品の吸収性物品の上記問題を解決する手段となっています。
　本願発明は、通常の複数片構成の使い捨て吸収性物品におけるトップハンティングの問題を解決するものであるため、引用文献１の図６やその図面に関する明細書の記載は、本願発明の契機にはなり得ないと思料いたします。」（第３ページ第１８行〜第３２行。）と主張しているが、第２の１、カで前記したように、刊行物１には、耳部に相当する「イヤフラップ５４、５４」がおむつ２０に結合されているものも記載されていることは明らかである。
　引用発明の「固定部材５６、５６」と、前方ウエスト領域２２に配置された被固定部材とは、合わせて「締着装置」と呼ぶことができることは明らかである。そうすると、引用発明の「固定部材５６、５６」と「被固定部材」とは、「固定部材」と「被固定部材」という限りで、本願発明の「嵌合部材」と「受入部材」と共通する。また、引用発明の「固定部材５６、５６が被固定部材と結合する時」は、「固定部材が被固定部材と結合する時」という限りで、本願発明の「嵌合部材が受入部材と嵌合する時」と共通する。
　引用発明の「イヤフラップ５４、５４の遠位縁５３、５３に隣接」することは、本願発明の「後耳部の末端縁近傍に配置」されることに相当する。
　引用発明の「使い捨ておむつ」は、吸収コア４４を有し、イヤフラップ５４、５４が結合されるものであるので、「複数片構成の使い捨て吸収性物品」と言えるものである。
　したがって、本願発明と引用発明とは、以下の点で一致しているということができる。
＜一致点＞
「シャーシに耳部が個別の構成要素として付着される複数片構成の使い捨て吸収性物品において、
ａ）前側腰部縁部を備える前側腰部区域、後側腰部縁部を備える後側腰部区域、前側腰部区域と後側腰部区域との間の股部区域、及び１対の対向する長手方向縁部を有し、
ｉ）液体透過性トップシートと、
ｉｉ）バックシートと、
ｉｉｉ）前記トップシートと前記バックシートとの間に配置される吸収性コアとを含む、シャーシと、
ｂ）上側面方向縁部、近位縁、末端縁を有し、後側腰部区域におけるシャーシの長手方向縁部から側面方向に外に向かって伸長し、個別要素として形成され、シャーシの後側腰部区域と結合される後耳部と、
ｃ）締着装置であって、
ｉ）前記耳部の末端縁近傍に配置される固定部材と、
ｉｉ）前記シャーシの前記前側腰部区域に配置される被固定部材と、を含む締着装置と、
を有し、前記耳部は、前記固定部材が前記被固定部材と結合する時に、前側腰部区域と後側腰部区域を相互に接続する、複数片構成の使い捨て吸収性物品。」
　そして、本願発明と引用発明とは、以下の点で相違している。
＜相違点１＞
　締着装置に関して、本願発明では、耳部の末端縁近傍に配置されるのが「嵌合部材」であり、シャーシの前側腰部区域に配置されるのが「受入部材」であって、耳部は「嵌合部材が受入部材と嵌合する」時に、前側腰部区域と後側腰部区域とが相互に接続されるものであるのに対して、引用発明では、締着装置は固定部材５６、５６と被固定部材であって、嵌合により締着するものであるのかどうか、不明な点。
＜相違点２＞
　耳部の前側腰部区域、後側腰部区域に対する位置に関して、本願発明では、「前側腰部区域と後側腰部区域が計量試験方法及び計量測定手順に従って相互に接続したときに、耳部は次のように前側縁部変位(Ａ)と後側縁部変位(Ｃ)と耳部全体幅(Ｂ)と耳部中点幅(Ｘ)とを有し、
１．前記前側縁部変位(Ａ)及び前記後側縁部変位(Ｃ)の合計は１２ｍｍ以下であり、
２．前記前側縁部変位(Ａ)及び前記後側縁部変位(Ｃ)の合計は前記耳部全体幅(Ｂ)に対して比率が０．３０以下であり、
３．前記前側縁部変位(Ａ)及び前記後側縁部変位(Ｃ)の合計は前記耳部中点幅(Ｘ) に対して比率が０．３０以下であり、
　前側縁部変位(Ａ)と後側縁部変位(Ｃ)と耳部全体幅(Ｂ)と耳部中点幅(Ｘ)は計量試験方法及び計量測定手順によって定められる」ものであると特定しているのに対して、引用発明では、前方ウエスト領域２２と後方ウエスト領域２４が相互接続した時、イヤフラップ５４、５４の前方ウエスト領域２２、後方ウエスト領域２４に対する位置関係について不明な点。
　
第４　相違点についての検討
１　＜相違点１＞について
　刊行物１には、上記摘記事項エに「固定装置５６は機械的な固定具、フック、及びループタイプの固定具、圧力完納接着剤及び接着材料のようなこの技術分野でよく知られている多数の固定部材を有する」とあるように、機械的な固定具やループタイプの固定具とすることについて示されており、機械的な固定具やループタイプの固定具が嵌合部材と受入部材とで構成されるものであることは明らかである。また、拒絶理由において引用した刊行物２においても、第３５ページ第１３行〜末行に示されているように、おむつの締着装置としてフック−ループファスナシステム、マッシュルーム−ループファスナシステム等のファスナ手段を用いることが記載され、これらのファスナ手段が嵌合部材と受入部材とで構成されるものであることは明らかである。
　してみると、引用発明において、固定部材と被固定部材として、嵌合部材と受入部材とを用い、嵌合部材が受入部材と嵌合することにより締着するものとすることは、当業者にとって格別困難なことではない。
２　＜相違点２＞について
（１）刊行物２記載事項による容易性について
　刊行物２記載事項は、「サイドパネル９０のそれぞれが、おむつ物品の後方ウェストバンド部４０に取りつけられた使い捨ておむつ２０において、
　第２端縁１０７に近接する前方ウェストバンド部３８、第１端縁１０６に近接する後方ウェストバンド部４０、前方ウェストバンド部３８と後方ウェストバンド部４０との間の中間部４２を有し、
　ｉ）液体透過性トップシート層２４と、ｉｉ）バックシート層２２と、ｉｉｉ）前記トップシート層２４とバックシート層２２との間に挟まれた吸収体２６を備え、
　サイドパネル９０が、バックシート層２２の後方ウェストバンド部４０に取り付けられ、ファスナタブ４４がサイドパネル９０に作動的に結合されたものにおいて、
　ファスナタブ４４の縁が、改良された性能を与えるために、ウェストバンド縁である第１端縁１０６に実質的に一致するように配置されている、使い捨ておむつ２０。」である。ここで、ファスナタブ４４はサイドパネル９０に結合されるものであるので、ファスナタブ４４の縁がウェストバンド縁である第１端縁１０６に実質的に一致するように配置されているのであれば、ファスナタブ４４を取りつけているサイドパネル９０の縁も、第１端縁に実質的に一致することは明らかである。そして、サイドパネル９０がバックシート層２２の後方ウェストバンド部４０に取り付けられるものであることを考え合わせると、刊行物２記載事項の「使い捨ておむつ２０」、「サイドパネル９０」、「第１端縁１０６」が本願発明の「複数片構成の使い捨て吸収性物品」、「後耳部」、「後側腰部縁部」に相当するから、刊行物２記載事項は、「複数片構成の使い捨て吸収性物品において、後耳部の縁を後側腰部縁部に実質的に一致させること。」と言い換えることができる。すなわち、後側縁部変位（Ｃ）をほぼゼロとすることであると言える。刊行物２記載事項では、第２端縁１０７とサイドパネル９０との縁との関係は不明であるが、ファスナタブ４４の縁が第１端縁１０６に実質的に一致するように取り付けられるとすれば、第２端縁１０７をファスナタブ４４の縁から離して設けるべき理由は見当たらない。そうであるならば、刊行物２記載事項を引用発明に適用した場合には、使い捨ておむつ２０の前方ウエスト領域２２と後方ウエスト領域２４を相互に接続した際に、２つの端縁３２とイヤフラップ５４、５４の長手方向端縁の位置を実質的に一致させることは、引用発明も刊行物２記載事項もともに複数片構成の使い捨ておむつに関するものであることからすれば、当業者にとって格別困難なことではない。すなわち、引用発明において、前側縁部変位（Ａ）及び後側縁部変位（Ｃ）を共にほぼゼロとすることは、当業者にとって格別困難なことではない。
（２）刊行物４記載事項による容易性について
　刊行物４記載事項は、「フラップ１１、１２が前胴周り域６、後胴周り域８の両側部１０に固着された使い捨ておむつ１において、
　前胴周り域６、後胴周り域８、前胴周り域６と後胴周り域８との間に位置する股下域７を有し、
　ｉ）表面シート２と、ｉｉ）裏面シート３と、ｉｉｉ）表面シート２と裏面シート３との間に介在した吸液性コア４とを含み、
　前胴周り域６、後胴周り域８の両側部１０に固着されるフラップ１１、１２と、
　後胴周り域８の両側部１０に固着されたフラップ１２の外端部１２ｃに固着されたテープファスナ１４を有し、
　前胴周り域６と後胴周り域８とをフラップ１１、１２、及びテープファスナ１４で接続した時に、前胴周り域６、後胴周り域８、フラップ１１、１２に上端縁の高さがほぼ同じになるように形成されている、使い捨ておむつ１。」である。ここで、刊行物４記載事項の「フラップ１１、１２が前胴周り域６、後胴周り域８の両側部１０に固着された使い捨ておむつ１」、「フラップ１２」、「前胴周り域６」の「上端縁」、「後胴周り域８」の「上端縁」が、それぞれ、本願発明の「複数片構成の使い捨て吸収性物品」、「後耳部」、「前部腰部縁部」、「後側腰部縁部」に相当するから、刊行物４記載事項は、「複数片構成の使い捨て吸収性物品において、接続した時に、後耳部の縁を前側腰部縁部及び後側腰部縁部の高さとほぼ同じになるように形成させること。」と言い換えることができる。すなわち、前側縁部変位（Ａ）及び後側縁部変位（Ｃ）をほぼゼロとすることであると言える。そうすると、刊行物４記載事項を引用発明に適用した場合には、使い捨ておむつ２０の前方ウエスト領域２２と後方ウエスト領域２４を相互に接続した場合、２つの端縁３２とイヤフラップ５４、５４の長手方向端縁の位置を実質的に一致させることは、引用発明も刊行物４記載事項もともに複数片構成の使い捨ておむつに関するものであることからすれば、当業者にとって格別困難なことではない。すなわち、引用発明において、前側縁部変位（Ａ）及び後側縁部変位（Ｃ）を共にほぼゼロとすることは、当業者にとって格別困難なことではない。
（３）刊行物６記載事項による容易性について
　刊行物６記載事項は、「主要吸収性部分３０の側部領域４０、５０に前方側部４２、５２、後方側部４５、５５が設けられた使い捨てパンツ用衣類２０において、
　前方側部４２、５２、後方側部４５、５５に粘着領域４３、５３、４４、５４が設けられ、
　衣類２０を閉じた状態において、衣類２０の上端部の腰部開口部８０の上端部の位置が、ほぼ同じ高さに形成されている、使い捨てパンツ用衣類２０。」である。ここで、刊行物６記載事項の「使い捨てパンツ用衣類２０」、「後方側部４５、５５」、「側部領域４０」の「上端部」、「側部領域５０」の「上端部」が、それぞれ、本願発明の「使い捨て吸収性物品」、「後耳部」、「前部腰部縁部」、「後側腰部縁部」に相当するから、刊行物６記載事項は、「使い捨て吸収性物品において、接続した時に、後耳部の縁を前側腰部縁部及び後側腰部縁部の上端部の位置をほぼ同じになるように形成させること。」と言い換えることができる。すなわち、前側縁部変位（Ａ）及び後側縁部変位（Ｃ）をほぼゼロとすることであると言える。そうすると、刊行物６記載事項を引用発明に適用した場合には、使い捨ておむつ２０の前方ウエスト領域２２と後方ウエスト領域２４を相互に接続した場合、２つの端縁３２とイヤフラップ５４、５４の長手方向端縁の位置を実質的に一致させることは、引用発明も刊行物６記載事項もともに使い捨ておむつに関するものであることからすれば、当業者にとって格別困難なことではない。すなわち、引用発明において、前側縁部変位（Ａ）及び後側縁部変位（Ｃ）を共にほぼゼロとすることは、当業者にとって格別困難なことではない。
　請求人は、刊行物６に関して、平成２４年９月２５日付け意見書において、「引用文献５，６（当審注：刊行物６である国際公開第２００５／７７３１３号），７も明確に一体成形品の使い捨て吸収性物品を示しています。
　本願発明は複数片構成の使い捨て吸収性物品に関するため、引用文献５，６，７は本願発明の発明契機にはなりません。」（第４ページ第４行〜第６行。）と主張している。
　しかしながら、一体成形品の使い捨て吸収性物品と複数片構成の使い捨て吸収性物品とで形状を変更しなければならない理由は格別見当たらないことからすれば、上記主張は採用することができない。
（４）刊行物７記載事項による容易性について
　刊行物７記載事項は、「シャーシ４１の前方領域２６の両側部にフロントサイドパネル４６、後方領域２８の両側部にバックサイドパネル４８が設けられた使い捨てプル・オンおむつ２０において、
　バックサイドパネル４８に使い捨て手段３３が与えられた引き剥がし開放タブ３１が設けられ、
　使い捨てプル・オンおむつ２０を閉じた状態において、おむつ２０の上端部の腰部開口部の上端部の位置が、ほぼ同じ高さに形成されている、使い捨て使い捨てプル・オンおむつ２０。」である。ここで、刊行物７記載事項の「使い捨てプル・オン２０」、「バックサイドパネル４８」、「前方領域２６」の「上端部」、「後方領域２８」の「上端部」が、それぞれ、本願発明の「使い捨て吸収性物品」、「後耳部」、「前部腰部縁部」、「後側腰部縁部」に相当するから、刊行物７記載事項は、「使い捨て吸収性物品において、接続した時に、後耳部の縁を前側腰部縁部及び後側腰部縁部の上端部の位置をほぼ同じになるように形成させること。」と言い換えることができる。すなわち、前側縁部変位（Ａ）及び後側縁部変位（Ｃ）をほぼゼロとすることであると言える。そうすると、刊行物７記載事項を引用発明に適用した場合には、使い捨ておむつ２０の前方ウエスト領域２２と後方ウエスト領域２４を相互に接続した場合、２つの端縁３２とイヤフラップ５４、５４の長手方向端縁の位置を実質的に一致させることは、引用発明も刊行物７記載事項もともに使い捨ておむつに関するものであることからすれば、当業者にとって格別困難なことではない。すなわち、引用発明において、前側縁部変位（Ａ）及び後側縁部変位（Ｃ）を共にほぼゼロとすることは、当業者にとって格別困難なことではない。
　請求人は、刊行物７に関して、平成２４年９月２５日付け意見書において、「引用文献５，６，７（当審注：刊行物７である特表２０００−５０４９７５号公報）も明確に一体成形品の使い捨て吸収性物品を示しています。
　本願発明は複数片構成の使い捨て吸収性物品に関するため、引用文献５，６，７は本願発明の発明契機にはなりません。」（第４ページ第４行〜第６行。）と主張している。
　しかしながら、一体成形品の使い捨て吸収性物品と複数片構成の使い捨て吸収性物品とで形状を変更しなければならない理由は格別見当たらないこと、及び、刊行物７における摘記事項イの「別の態様において、フロントおよびバックサイドパネル４６および４８は、シャーシ４１のサイドエッジに取り付けられる分離した部材（図においては示されない）である。」の記載から、バックサイドパネル４８はシャーシ４１と分離した部材で構成されることもできることを考慮すれば、上記主張は採用することができない。
（５）＜相違点２＞に対する容易性のまとめ
　以上のとおり、引用発明において、前側縁部変位（Ａ）及び後側縁部変位（Ｃ）を共にほぼゼロとすることは、刊行物２、４、６、７記載事項を適用することにより、当業者が容易になし得たものと考えざるをえない。そして、前側縁部変位（Ａ）及び後側縁部変位（Ｃ）が共にほぼゼロであるならば、「前側腰部区域(36)と後側腰部区域(38)が計量試験方法及び計量測定手順に従って相互に接続したときに、耳部(42)は次のように前側縁部変位(A)と後側縁部変位(C)と耳部全体幅(B)と耳部中点幅(X)とを有し、
　　1.　前記前側縁部変位(A)及び前記後側縁部変位(C)の合計は１２ｍｍ以下であり、
　　2.　前記前側縁部変位(A)及び前記後側縁部変位(C)の合計は前記耳部全体幅(B)に対して比率が０．３０以下であり、
　　3.　前記前側縁部変位(A)及び前記後側縁部変位(C)の合計は前記耳部中点幅(X) に対して比率が０．３０以下であり、
　　前側縁部変位(A)と後側縁部変位(C)と耳部全体幅(B)と耳部中点幅(X)は計量試験方法及び計量測定手順によって定められる」という条件を満たすことになるものであることは明らかである。
３　作用・効果について
　本願発明の採用する構成によってもたらされる効果も、引用発明及び上記従来周知の事項から当業者であれば予測できる程度のものであって格別のものではない。
　
第５　むすび
　したがって、本件出願の請求項１に係る発明は、刊行物１記載の発明、刊行物２、４、６、７記載事項、及び従来周知の事項に基づいて当業者が容易に発明をすることができたものであるから、特許法第２９条第２項の規定により特許をすることができない。
　よって、本件出願の請求項２ないし７に係る発明について検討するまでもなく、本件出願は拒絶されるべきであるから、結論のとおり審決する。